(57)【特許請求の範囲】
【請求項１】
幅方向の少なくとも一側部に複数の支持孔が形成されたベッドフレームと、
このベッドフレームの幅方向の少なくとも一側部に幅方向の内方に凹んで形成された凹部と、
このベッドフレームの幅寸法よりも小さな幅寸法に形成され上記ベッドフレームの上面に上記凹部を露出させて設けられる床板と、
上記ベッドフレームの上記凹部が形成された部分に上記凹部に突出した起立状態と上記ベッドフレームの幅方向内方へ折り畳んだ倒伏状態とに回動可能に設けられるとともに先端部に第２の支持孔が形成された支持部材と、
上記支持部材を起立させた状態において上記ベッドフレームの第１の支持孔と上記支持部材の第２の支持孔のうちの複数の支持孔に脚部を着脱可能に係合させて取り付けられる側柵と
を具備したことを特徴とするベッド装置。
【請求項２】
上記凹部には上記ベッドフレームに一端が固定された固定部材が設けられ、この固定部材の他端に上記支持部材が回動可能に連結されていて、上記固定部材は先端が上記床板の幅方向の端面とほぼ同じ位置或いは幅方向内方に位置する長さ寸法であることを特徴とする請求項１記載のベッド装置。
【発明の詳細な説明】
【技術分野】
【０００１】
この発明は布団がずれ落ちたり、患者が落下するのを防止する側柵がベッドフレームの幅方向の側部に着脱可能に設けられるベッド装置に関する。
【背景技術】
【０００２】
たとえば、病人用などとして用いられるベッド装置は、床板を有し、この床板上に載置されたマットレスに仰臥した利用者が落下したり、掛け布団がずれ落ちるのを防止するために側柵が設けられる。ベッドフレームに側柵を設ける場合、ベッドフレームの幅方向の一側部或いは両側部の上面に長手方向に対して所定間隔で複数の支持孔を形成する。そして、これらの支持孔を利用して上記側柵を着脱可能に取り付けるようにしている。
【０００３】
上記側柵は、たとえばベッドフレームの長さ寸法の約半分程度の長さ寸法に形成されていて、そのときの利用目的などに応じてベッドフレームのヘッドボード側に設けたり、フットボード側に設けるなど、取付け位置を変更できるようになっている。
【０００４】
一方、上記マットレスに仰臥した利用者が病人や身体の不自由な老人などの場合、その利用者を医師が診察したり、介護者が身体の世話をすることがある。そのような場合、医師や介護者は利用者にできるだけ近付いた方が診察や介護がし易いということがある。
【０００５】
そこで、ベッドフレームの長手方向の中央部分であって、幅方向の少なくとも一側部に、幅方向内方に向かって凹んだ凹部を形成する。そして、医師や介護者が利用者を診察したり、介護する場合、上記凹部に身体を位置させることで、利用者に近付くことができるようにしている。
【発明の開示】
【発明が解決しようとする課題】
【０００６】
ところで、ベッドフレームの幅方向の側部に側柵が設けられるベッド装置において、側柵をベッドフレームの長さ寸法の約半分程度の長さにし、その側柵をヘッドボード側或いはフットボード側のいずれかに選択的に取り付けることができるようにする場合、側柵の端部に設けられた脚部を支持する支持孔をベッドフレームの長手方向中央部の側部にも設けることが必要となる場合がある。
【０００７】
しかしながら、医師や介護者がマットレス上に仰臥した利用者に近付き易くするため、ベッドフレームの長手方向中央部の側部に幅方向内方に凹んだ凹部を形成するようにすると、ベッドフレームの長手方向中央部の側部に側柵を支持するための支持孔を設けることができなくなるため、側柵の取付け位置に制限を受けるということになる。
【０００８】
この発明は、ベッドフレームの長手方向中央部分の側部に凹部を形成しても、その凹部に側柵を支持するための支持孔を設けることができるようにしたベッド装置を提供することにある。
【課題を解決するための手段】
【０００９】
この発明は、幅方向の少なくとも一側部に複数の支持孔が形成されたベッドフレームと、
このベッドフレームの幅方向の少なくとも一側部に幅方向の内方に凹んで形成された凹部と、
このベッドフレームの幅寸法よりも小さな幅寸法に形成され上記ベッドフレームの上面に上記凹部を露出させて設けられる床板と、
上記ベッドフレームの上記凹部が形成された部分に上記凹部に突出した起立状態と上記ベッドフレームの幅方向内方へ折り畳んだ倒伏状態とに回動可能に設けられるとともに先端部に第２の支持孔が形成された支持部材と、
上記支持部材を起立させた状態において上記ベッドフレームの第１の支持孔と上記支持部材の第２の支持孔のうちの複数の支持孔に脚部を着脱可能に係合させて取り付けられる側柵と
を具備したことを特徴とするベッド装置にある。
【００１０】
上記凹部には上記ベッドフレームに一端が固定された固定部材が設けられ、この固定部材の他端に上記支持部材が回動可能に連結されていて、上記固定部材は先端が上記床板の幅方向の端面とほぼ同じ位置或いは幅方向内方に位置する長さ寸法であることが好ましい。
【発明の効果】
【００１１】
この発明によれば、ベッドフレームの幅方向の側部に形成された凹部に、側柵を支持する支持孔が形成された支持部材を折り畳み可能に設けたから、側柵を支持しないときには支持部材を折り畳むことで、医師や介護者が身体を凹部に入り込ませて利用者を診察したり、介護することが可能となる。
【発明を実施するための最良の形態】
【００１２】
以下、この発明の一実施の形態を図面を参照して説明する。  
図１はこの発明のベッド装置の斜視図、図２は平面図、図３は側面図である。ベッド装置は図３に示すようにベースフレーム１を有する。このベースフレーム１は四隅部に設けられたストッパ付きのキャスタ２によって移動可能となっている。このベースフレーム１にはベッドフレーム３が図２に示す上下駆動機構４によって高さ調整可能に設けられている。
【００１３】
上記ベッドフレーム３はフレーム本体５と、このフレーム本体５の幅方向の両側の中央部を除く一端部と他端部とに、それぞれ連結部材６によって取付け固定された側部材７とによって構成されている。それによって、上記ベッドフレーム３の長手方向中央部分の幅方向両側には、幅方向の内方に向かって凹んだ凹部８が形成されている。上記側部材７の長手方向両端部にはそれぞれ上面に開口した第１の支持孔９が形成されている。
【００１４】
上記フレーム本体５の上記凹部８に対応する部分の側面には固定部材１１が一端を固定して設けられている。この固定部材１１は図５に示すようにフレーム本体５を構成する角パイプに取付け固定されるベース板１１ａと、このベース板１１ａに基端を固着した上下一対の連結杆１１ｂとからなる。
【００１５】
上記固定部材１１の他端、つまり連結杆１１ｂの先端はベッドフレーム３の幅方向外方に向かって突出していて、その先端部には支持部材１３の基端が支軸１４によって回動可能に連結されている。上記支持部材１３の先端部には、上記第１の支持孔９と同径の第２の支持孔１２が上下方向に貫通して形成されている。
【００１６】
上記固定部材１１に上記支軸１４によって連結された上記支持部材１３は、その支軸１４を支点として折り畳み可能になっている。そして、支持部材１３は、図４（ａ）に示すようにベッドフレーム３の幅方向外方に向かって突出した起立状態と、図４（ｂ）に示すように折り畳まれた倒伏状態とに回動させることができるようになっている。
【００１７】
上記支持部材１３を、図４（ａ）に示すようにベッドフレーム３の幅方向外方に向かって突出する起立状態にしたとき、図２に示すように側部材７に形成された一対の第１の支持孔９の間隔Ｌ１と、一方の第１の支持孔９と上記支持部材１３に形成された第２の支持孔１２との間隔Ｌ２とがほぼ同じになるように、上記支持部材１３の位置が設定されている。つまり、支持部材１３はベッドフレーム３の長手方向の中央に設けられている。
【００１８】
上記ベッドフレーム３の長手方向一端にはヘッドボード１６が設けられ、他端にはフットボード１７が設けられている。さらに、上記ベッドフレーム３の上面には床板１８が設けられている。この床板１８は複数、この実施の形態では５つの床部１８ａ〜１８ｅに分割されている。
【００１９】
すなわち、ベッドフレーム３の長手方向中央部にはこのベッドフレーム３に固定された固定床部１８ｃが設けられている。この固定床部１８ｃの一端には腰床部１８ｂと背床部１８ａとが順次回動可能に連結されている。上記固定床部１８ｃの他端には第１の脚床部１８ｄと第２の脚床部１８ｅとが順次回動可能に設けられている。
【００２０】
上記背床部１８ａと腰床部１８ｂは図２に示す背上げ駆動機構２１によって図３に実線で示す倒伏状態から鎖線で示すように起立させることができるようになっている。上記第１の脚床部１８ｄは脚上げ駆動機構２２（一部だけを図２に示す）によって図３に示すように実線で示す倒伏位置から鎖線で示すよう起上させることができるようになっている。
【００２１】
上記第１の脚床部１８ｄを図３に鎖線で示すように起上させると、この第１の脚床部１８ｄの起上に一端が連結された第２の脚床部１８ｅが連動する。この第２の脚床部１８ｅの他端には図示しない保持杆の一端が枢着されている。この保持杆の他端は上記ベッドフレームに枢着されている。それによって、上記第１の脚床部１８ｄを起上させると、その起上に第２の脚床部１８ｅが連動し、上記保持杆によってほぼ水平な状態で保持されるようになっている。
【００２２】
上記床板１８の各床部１８ａ〜１８ｅの幅寸法は上記ベッドフレーム３の幅寸法よりも小さく設定されている。すなわち、図２に示すように各床部１８ａ〜１８ｅの幅寸法は、ベッドフレーム３の側部材７を除く部分の幅寸法とほぼ同じに設定されている。それによって、上記ベッドフレーム３の幅方向両側に長手方向の中央部に形成された一対の凹部８は、上記床板１８によって覆い隠されることがない。つまり、凹部８は床板１８からベッドフレーム３の上面側に露出している。
【００２３】
そして、ベッドフレーム３のフレーム本体５の側面に取り付けられた上記固定部材１１は、先端が床板１８の固定床部１８ｃの側端面から外方へ突出しない長さ寸法に設定されている。それによって、上記固定部材１１に連結された支持部材１３を、図４（ａ）に示すように起立させれば、この支持部材１３は上記固定床部１８ｃの側面から外方、つまり凹部８へ突出し、図４（ｂ）に示すように倒伏させれば、上記固定床部１８ｃの下面側に隠れ、この固定床部１８ｃの端面から外方へ突出しないようになっている。
【００２４】
上記ベッドフレーム３の幅方向一側又は両側には、図３に鎖線で示す側柵２５が着脱可能に取り付けられる。この側柵２５は長さ寸法が上記ベッドフレーム３の長さ寸法の約半分に形成された枠部材２６を有し、この枠部材２６の長手方向両端部及び中央部にはそれぞれ下方に向かって突出した脚部材２７（図５に示す）が設けられている。３本の脚部材２７は上記側部材７と支持部材１３とに形成された第１、第２の支持孔９，１２の図２に示す間隔Ｌ１、Ｌ２とほぼ同じに設定されている。
【００２５】
上記脚部材２７は図５に示すように枠部材２６よりも小径で、第１、第２の支持孔９，１２（第２の支持孔１２だけを図示）とほぼ同径に形成されている。それによって、側柵２７はベッドフレーム３の側部に上記脚部材２７を上記各支持孔９，１２に着脱可能に挿入して設けられる。
【００２６】
側柵２５に設けられた３本の脚部材２７の間隔が第１、第２の支持孔９，１３の間隔Ｌ１、Ｌ２と同じに設定されていることで、上記側柵２５を図３に鎖線で示すヘッドボード１６側の位置だけでなく、フットボード１７側の位置或いはベッドフレーム３の長手方向中央部など必要に応じて取付け位置を変更することができるようになっている。
【００２７】
上記床板１８の上面には図１に示すようにマットレス２９が載置される。このマットレス２９は、上記床板１８の固定床部１８ｃを除く各床部１８ａ，１８ｂ，１８ｄ，１８ｅを起上させたときに、その起上に応じて屈曲可能な構成になっている。そして、このマットレス２９上に利用者が仰臥することになる。
【００２８】
このような構成のベッド装置によれば、ベッドフレーム３の幅方向の両側の、長手方向中央部分に凹部８を形成するとともに、この凹部８に対応する部分に側柵２５の脚部材２７を支持することができる第２の支持孔１２が形成された支持部材１３を倒伏可能に設けるようにした。
【００２９】
そのため、ベッドフレーム３の側部に側柵２５を支持する場合には、上記支持部材１３を図４（ａ）に示すように起立させて固定床部１３ｃの下面から凹部８に突出させ、この支持部材１３に形成された第２の支持孔１２及びベッドフレーム３の側部材７に形成された第１の支持孔９に上記側柵２５の脚部材２７を挿入する。それによって、側柵２５をベッドフレーム３の側部に支持することができる。
【００３０】
マットレス２９上に仰臥した利用者を医師が診察したり、介護者が介護する場合には、ベッドフレーム３の側部に支持された側柵２５を取り外した後、起立状態にある支持部材１３を図４（ｂ）に示すように倒伏させる。
【００３１】
それによって、上記支持部材１３は、固定床部１８ｃの端面から外方に突出した状態から、固定床部１８ｃの下面側に隠れるから、医師や介護者は身体を凹部８内に入れ、利用者に近付いて診察や介護を行なうことができる。
【００３２】
すなわち、医師や介護者が利用者を診察したり、介護する際、側柵２５を支持するために設けられた支持部材１３が邪魔になることなく、身体を凹部８に位置させて利用者に近付くことができるから、医師や介護者は無理な姿勢をとることなく、診察や介護を容易に行なうことが可能となる。
【００３３】
上記支持部材１３が折り畳み可能に連結された固定部材１１は、先端が固定床部１８ｃの端面から外方へ突出しない長さに設定されている。そのため、支持部材１３を折り畳んで医師や介護者が利用者に身体を近付けるときに、上記固定部材１１が邪魔になるということもない。
【００３４】
ベッドフレーム３の側部に設けられる第１の支持孔９と第２の支持孔１２とを、ベッドフレーム３の長手方向に対して等間隔で設けるようにした。そのため、これら支持孔９，１２と同じ間隔で複数の脚部材２７が設けられた側柵２５は、取付け位置を、ベッドフレーム３のヘッドボード１６側、フットボード１７側及び長手方向の中央部のいずれかに選択的に変更することができる。
【００３５】
すなわち、背床部１８ａを起立させた場合には、上半身を起こした利用者が側方に倒れることがないよう、側柵２５をヘッドボード１６側に設けることができ、就寝時は掛け布団がずれ落ちることがないよう、長手方向の中央部やフットボード１７側に設けるなどして上記側柵２５の取付け位置を選択することが可能となる。
【００３６】
この発明は上記一実施の形態に限定されず、たとえば側柵には３本の脚部材を設け、これら脚部材を３つの支持孔に係合させて上記側柵をベッドフレームの側部に取り付けるようにしたが、側柵に設けられる脚部材の数は限定されるものでなく、たとえば２本であってもよい。
【００３７】
側柵に設けられる脚部材の数を２本とし、側柵の幅寸法はベッドフレームの長さ寸法の約半分とすれば、ベッドフレームの一側に２つの側柵を一列に設けることができる。  
また、側柵の長さ寸法はベッドフレームの長さ寸法の半分以下であってもよく、たとえば３分の１程度にすれば、ベッドフレームの一側に２つの側柵を一列に設けた場合に、側柵が設けられていない部分を形成シ、その部分から利用者がマットレスに乗り降りすることができる。
【００３８】
また、ベッド装置として上記一実施の形態では床板を複数の床部に分割し、これらの床部を起伏駆動できる、いわゆる背上げ式ベッド装置を例に挙げて説明したが、ベッド装置は背上げ式に限定されず、床板を起伏させることができないベッド装置であっても、差し支えない。
【図面の簡単な説明】
【００３９】
【図１】この発明の一実施の形態を示すベッド装置の斜視図。
【図２】床板上からマットレスを除去するとともに、床板を破断したベッド装置の平面図。
【図３】ベッド装置の側面図。
【図４】（ａ）は支持部材を起立させたときのベッドフレームの凹部を示す斜視図、（ｂ）は支持部材を倒伏させたときの凹部を示す斜視図。
【図５】ベッドフレームの一側に設けられた固定部材及び支持部材を示す側面図。
【符号の説明】
【００４０】
３…ベッドフレーム、８…凹部、９…第１の支持孔、１２…第２の支持孔、１３…支持部材、１８…床板、１８ａ〜１８ｅ…床部、２５…側柵。
【図１】
0004783625.tif 000002
【図２】
0004783625.tif 000003
【図３】
0004783625.tif 000004
【図４】
0004783625.tif 000005
【図５】
0004783625.tif 000006